(57)【特許請求の範囲】
【請求項１】
引戸の戸先に取り付けられる第１枠箱内に鎌片及びカム片を揺動可能に枢支させること；鎌片及びカム片はいずれも施錠位置側に向け付勢させてあること；カム片はそれに連係させたサムターン又はシリンダ錠の操作により作動されるものであること；鎌片はカム片との衝合により施錠位置から解錠位置に向け作動されるものであること；戸枠又は他の引戸の戸先に第１枠箱に対向させて取り付けられる第２枠箱内に中空のトリガー枠及びリンクを介して係止片を備えること；トリガー枠は第２枠箱に対し水平方向に摺動可能に装着されると共に、その先端を第２枠箱の貫通口を通じて外部へ突出させてあること；トリガー枠はトリガーばねにより突出方向に付勢させてあること；係止片はトリガー枠内において後方位置と前方位置との間を水平方向に摺動できるように装着させてあること；トリガー枠の第２枠箱に対する前進動又は後退動を逆にして係止片に連動させるため、トリガー枠と係止片との間はリンクで連係させてあること；及び、閉戸に伴ってトリガー枠が第１枠箱の前部と当接することにより、係止片がトリガー枠の先端から突出して鎌片に選択的に係合できるようにするため、第１枠箱の前部に係止片先端の進入を許容する開口を設けることを構成条件とする引戸用錠装置。
【発明の詳細な説明】
【０００１】
【産業上の利用分野】
この発明は、引戸の戸先と戸枠又は他の引戸の戸先との間に設ける引戸用錠装置に関する。
【０００２】
【従来の技術】
この種の引戸用錠装置において、それを自動施錠型とすると、引戸側の鎌片を係合させるため、戸枠又は他の引戸の対応部分に外部に露出させた係止片を設けることを要する。
【０００３】
そのため、引戸を開放させてそこを人が通ると、係止片の先端に衣服を引掛けたりすることがあること、又、外見上見映えが悪いことなどの問題点があった。
【０００４】
【発明が解決しようとする課題】
この発明の引戸用錠装置は、自動施錠ができるようにしてあるに関わらず、係止片に衣服を引掛けたりすることがないようにすると共に、係止片を通常時見えないようにすることを目的として提案されたものである。
【０００５】
【課題を解決するための手段】
上記の目的を達成するため、この発明の引戸用錠装置は、引戸の戸先に取り付けられる第１枠箱内に鎌片及びカム片を揺動可能に枢支させること；鎌片及びカム片はいずれも施錠位置側に向け付勢させてあること；カム片はそれに連係させたサムターン又はシリンダ錠の操作により作動されるものであること；鎌片はカム片との衝合により施錠位置から解錠位置に向け作動されるものであること；戸枠又は他の引戸の戸先に第１枠箱に対向させて取り付けられる第２枠箱内に中空のトリガー枠及びリンクを介して係止片を備えること；トリガー枠は第２枠箱に対し水平方向に摺動可能に装着されると共に、その先端を第２枠箱の貫通口を通じて外部へ突出させてあること；トリガー枠はトリガーばねにより突出方向に付勢させてあること；係止片はトリガー枠内において後方位置と前方位置との間を水平方向に摺動できるように装着させてあること；トリガー枠の第２枠箱に対する前進動又は後退動を逆にして係止片に連動させるため、トリガー枠と係止片との間はリンクで連係させてあること；及び、閉戸に伴ってトリガー枠が第１枠箱の前部と当接することにより、係止片がトリガー枠の先端から突出して鎌片に選択的に係合できるようにするため、第１枠箱の前部に係止片先端の進入を許容する開口を設けることを構成条件とする。
【０００６】
【作用】
引戸１０が開かれた状態（図１参照）では、戸枠２０又は他の引戸の第２枠箱４におけるトリガー枠５はトリガーばね５３で付勢され最前の位置を占め、係止片７はトリガー枠５の空間部５１内に収納された状態を占めている。
【０００７】
引戸１０が矢印Ａ方向に押されて更に戸枠２０に近づくと（図２参照）、トリガー枠５の先端が引戸１０の第１枠箱１の前部に当接して、そのトリガー枠５をトリガーばね５３に抗して後退させる。
【０００８】
トリガー枠５の後退に伴ってリンク６を介して連係された係止片７は前方へ進出されるので（図２参照）、係止片７の先端に衝接する鎌片２が鎌ばね２１に抗して一旦は解錠位置側に向け（図２で左回りに）揺動される。
【０００９】
図３に示されるように、引戸１０が完全に閉鎖されると、係止片７は更に前進し、係止片７の先端が鎌片２の先端を越え、鎌片２が鎌ばね２１の付勢力により施錠位置に戻されるので、本発明に係る錠装置は施錠状態に至る。
【００１０】
この錠装置を解錠させるには、図示しないサムターン又はシリンダ錠に差し込んだ鍵により、カム片３を図３で左回りに揺動（回動）させればよい。
【００１１】
カム片３に衝合している鎌片２も同様に左回りに揺動するので、ここに、鎌片２と第２枠箱４側の係止片７との係合が解かれるところとなって、引戸１０は手で開放できることになる。
【００１２】
【実施例】
以下図面に示す実施例に基いてこの発明について説明する。
図１〜図３において、符号１０は引戸、２０は戸枠又は他の引戸、矢印Ａは引戸１０の閉鎖方向をそれぞれ示す。
【００１３】
引戸１０の戸先にねじ等で取り付けられる第１枠箱１は、図示例では面付け型のものを示しているが、掘込み型のものであってもよい。第１枠箱１内には、鎌片２及びカム片３が揺動可能に枢支させてある。
【００１４】
鎌片２は数枚の板材を重合させて作られているが、厚さ方向の中間部には間隙が設けてあり、その間隙部分にカム片３を装着するとよい。
【００１５】
実施例におけるカム片３は図４及び図５に明示するように１枚の板材から作られている。符号３３はばね掛け用の小孔である。
【００１６】
鎌片２及びカム片３は、鎌ばね２１及びカムばね３１により施錠位置側に向け（図１で右回りに）それぞれ付勢させてあり、常態で支柱を兼ねる共通のストッパピン２２により施錠位置に停止させてある。
【００１７】
図示例の鎌ばね２１は圧縮ばねで作られ、一端を鎌片２に枢着させ他端を固定の受け片２３に遊嵌させたばね用案内ピン２４に嵌め込んである。
【００１８】
カムばね３１は捩りばねにより作られ、中央部が枢軸にはめ込まれ、カム片３のばね掛け用の小孔３３とストッパピン２２との間に掛け渡されている。
【００１９】
カム片３はそれに連係させた室内側のサムターン又は室外側のシリンダ錠（いずれも図示しない）により操作されるようにしてあり、鎌片２はカム片３との衝合により施錠位置から解錠位置に向け作動される。
【００２０】
図中、符号３５はカム片３の衝接部、２５は鎌片２の対応部をそれぞれ示す。また、１２は第１枠箱１に固定されたシリンダ錠の取付座である。
【００２１】
一方、戸枠２０又は他の引戸の戸先に前記の第１枠箱１に対向させてねじ等で取り付けられる第２枠箱４内には、中空のトリガー枠５及びリンク６を介して係止片７を設ける。第２枠箱４も第１枠箱１と同様面付け型であっても掘込み型であってもよい。
【００２２】
トリガー枠５は横断面をコ字状として中空に作られ、前面部は開放させてある。トリガー枠５は第２枠箱４に対し水平方向に摺動可能に装着させると共に、その先端を第２枠箱４の貫通口４１を通じて外部へ突出させてある。符号５４はトリガー枠５の先端部の回りに固着した角筒状をなす合成樹脂製のカバーである。
【００２３】
トリガー枠５の案内手段及び摺動の範囲を規制する規制手段は、例えば、貫通口４１、支柱を兼ねる枢着ピン６１及びトリガー枠５に設けた逃げ孔５２等によって任意に備えることができる。
【００２４】
トリガー枠５は例えばその後部と第２枠箱４との間に設けた圧縮ばねその他のトリガーばね５３によって突出方向に付勢させてある。
【００２５】
前記のトリガー枠５の中空部には、係止片７が後方位置（図１参照）と前方位置（図３参照）との間を水平方向に摺動できるように装着してある。係止片７は鎌片２と同様に数枚の板材を重合させて作るとよい。
【００２６】
トリガー枠５に突設した取付片５５と係止片７との間はリンク６で連係させてあり、トリガー枠５の第２枠箱４に対する前進動又は後退動を逆にして係止片７に連動伝達させる。
【００２７】
図示例のリンク６の中央部は支柱を兼ねる枢着ピン６１により枢支してあり、リンク６の各端部とトリガー枠５の取付片５５又は係止片７との間は、ピンと長孔との組で成る連係手段６２により、接続させてある。
【００２８】
符号７１は係止片７に設けた逃げ孔で、第２枠箱４に固定された枢着ピン６１を逃がすためのものである。
【００２９】
【発明の効果】
以上に説明したこの発明の引戸用錠装置によれば、引戸を閉ざすのみで自動施錠できること、引戸の開放時は第２錠箱側の係止片は中空のトリガー枠内に収納されむき出しとなっていないので、引戸開放時の通行者が衣服を引掛けたりする恐れがなく、また、見映えがよいこと、錠装置全体の構造を小型かつシンプルに製作できること、など種々の効果を奏する。
【図面の簡単な説明】
【図１】この発明の実施例において引戸をやゝ開いた状態で示す部分縦断側面図。
【図２】施錠作動の過程を示すその部分縦断側面図。
【図３】施錠状態におけるその部分縦断側面図。
【図４】図１の実施例から取り出したカム片の側面図。
【図５】その背面図。
【符号の説明】
１０  引戸
２０  戸枠
１  第１枠箱
２  鎌片
３  カム片
４  第２枠箱
５  トリガー枠
６  リンク
７  係止片
【図１】
0003625222.tif 000002
【図２】
0003625222.tif 000003
【図３】
0003625222.tif 000004
【図４】
0003625222.tif 000005
【図５】
0003625222.tif 000006